(57)【要約】      （修正有）【課題】自然なデザインに構成したマグネットを提供するとともに、隣接して他のマグネットを取り付けられるようにすることで、より自然なデザインに構成できるようにした装飾用マグネットを提供する。【解決手段】棒状に構成されたマグネット本体２と、マグネット本体２の表面側に設けられ、葉や花を連続的に装飾させた装飾部４とを設けるようにする。この装飾部４の第一端部３１側の装飾部４１と、第二端部３２側の装飾部４２とは高さ位置がそれぞれ異なるようにしておき、それぞれの装飾用マグネット１を隣接して取り付けるようにした場合であっても、それぞれの装飾部４が干渉しないようにしておく。【選択図】図２
0003199299.tif 000002
【実用新案登録請求の範囲】
【請求項１】
棒状に構成されたマグネット本体と、
当該マグネット本体の表面側に設けられ、葉や花を連続的に装飾させた装飾部と、
を設けたことを特徴とする装飾性マグネット。
【請求項２】
前記棒状のマグネット本体の表面に設けられた装飾部の左右両端が、それぞれ干渉しない高さ位置を構成されるものである請求項１に記載の装飾性マグネット。
【請求項３】
前記マグネット本体の左右両端に、他の装飾性マグネットと連結させるための嵌合部を設けた請求項１に記載の装飾性マグネット。
【請求項４】
前記装飾部が、マグネット本体から着脱可能に構成されてなるものである請求項１に記載の装飾性マグネット。
【考案の詳細な説明】
【技術分野】
【０００１】
本考案は、マグネットボードなどに取り付けられるようにした装飾用マグネットに関するものであり、より詳しくは、同種類の装飾用マグネットを隣接して取り付けた際に、自然なデザインに見せられるようにした装飾用マグネットに関するものである。
【背景技術】
【０００２】
一般に、マグネットボードに貼り紙などを貼り付ける場合、貼り紙の四隅にマグネットを取り付けて貼り付けるようにすることが多い。
【０００３】
ところで、従来の一般的なマグネットには装飾性がないため、近年ではマグネットに花などの装飾物を取り付けるようにしたものも各種提案されている（特許文献１など参照）。
【先行技術文献】
【特許文献】
【０００４】
【特許文献１】特開２００９−２６９２６５号公報
【考案の概要】
【考案が解決しようとする課題】
【０００５】
しかしながら、このようなマグネットはスポット的な円形のマグネットに花だけを取り付けたものが多く、葉や花などが連続している自然なデザインにすることができない。
【０００６】
また、花などが固い素材で構成されている場合、それぞれのマグネットを隣接して取り付けるようとすると、マグネットの花と花が干渉してしまうために、マグネットを少し離して取り付けなければならないが、このとき、その隙間部分が存在することによって、装飾性が損なわれてしまうといった問題もあった。
【０００７】
そこで、本考案は上記課題に着目してなされたもので、自然なデザインに構成したマグネットを提供するとともに、隣接して他のマグネットを取り付けられるようにすることで、より自然なデザインに構成できるようにした装飾用マグネットを提供することを目的とする。
【課題を解決するための手段】
【０００８】
すなわち、本考案は上記課題を解決するために、棒状に構成されたマグネット本体と、当該マグネット本体の表面側に設けられ、葉や花を連続的に装飾させた装飾部と、を設けるようにしたものである。
【０００９】
このように構成すれば、貼り紙の端部に自然な草花をあしらったデザインを見せることができるようになる。
【００１０】
また、このような考案において、棒状のマグネット本体の表面に設けられた装飾部の左右両端を、それぞれ干渉させない高さ位置に設けるようにする。
【００１１】
このように構成すれば、仮に、その装飾物が固い素材で構成されている場合であっても、左右両端からはみ出した装飾物を干渉させることなく、それぞれの装飾性マグネットを密着して取り付けることができるようになる。
【００１２】
さらには、マグネット本体の左右両端に、他の装飾性マグネットと連結させるための嵌合部を設けるようにすることもできる。
【００１３】
このように構成した場合は、凹凸によって連結させるための端部が明確になり、それぞれを連結させる際の作業を楽にさせることができるようになる。
【００１４】
加えて、装飾部を、マグネット本体から着脱可能に構成することもできる。
このように構成すれば、貼り紙が使用されるシーンに応じて装飾物を選んで取り付けることができるようになる。
【考案の効果】
【００１５】
本考案によれば、棒状に構成されたマグネット本体と、当該マグネット本体の表面側に設けられ、葉や花を連続的に装飾させた装飾部とを設けるようにし、また、棒状のマグネット本体の表面に設けられた装飾部の左右両端の高さ位置を、それぞれ干渉させないような高さ位置にしたので、同種類の装飾用マグネットを隣接して設けた場合であっても、貼り紙の端部に自然な草花をあしらったデザインを見せることができるようになる。
【図面の簡単な説明】
【００１６】
【図１】本考案の一実施の形態における装飾用マグネットの平面概略図
【図２】同形態における側面概略図
【図３】同形態における装飾部を取り外した状態図
【図４】同形態における同種類の装飾用マグネットを隣接して設けた状態図
【図５】同形態における装飾用マグネットの使用状態を示す図
【図６】他の実施の形態における装飾用マグネットを示す図
【考案を実施するための形態】
【００１７】
以下、本実施の形態における装飾用マグネット１の一実施の形態について図面を参照して説明する。
【００１８】
この実施の形態における装飾用マグネット１は、図１や図２などに示すように、棒状に構成されたマグネット本体２と、このマグネット本体２の表面側に設けられ、葉や花などを連続的に装飾させた装飾部４とを備え、これによって全体的に自然なデザインを構成するようにしたものである。そして、このように構成することで、貼り紙を装飾してマグネットボードに取り付けられるようにしたものである。以下、本実施の形態における装飾用マグネット１の構成について図面を参照しながら説明する。
【００１９】
まず、マグネット本体２は、底面側にマグネットを有してマグネットボードなどに磁着させられるようにしたものであって、ここでは棒状に構成されている。ここで棒状とは、直線状をなすもののほか、Ｌ字状やＴ字状に屈曲したもの、あるいは、曲線状に変形できるようにしたものなども含むものである。このマグネット本体２の表面側には、装飾部４を取り付けるための取付部３が設けられており、この取付部３に種々の装飾部４を取り付けられるようにしている。なお、ここでは、取付部３を設けて装飾部４を取り付けるようにしているが、この取付部３を設けることなく、マグネットの表面そのものに装飾部４を接着剤などで取り付けるようにしてもよい。
【００２０】
この取付部３は、マグネット本体２の表面や側面などを覆う樹脂などで構成され、その表面にピン３Ｐ（図３参照）を突出させて装飾部４を差し込んで着脱できるようにしている。すなわち、装飾部４をマグネット本体２に取り付けるときは、その貼り紙のデザインに応じた装飾部４を選択してピン３Ｐに差し込み、これによって、装飾部４を着脱可能に取り付けられるようにしている。
【００２１】
装飾部４は、茎や葉や花などを有する自然な状態の草花をあしらったものであって、マグネット本体２の大きさに対応した長さに構成されている。ここで、装飾部４としては、マグネット本体２を覆うようにして、マグネット本体２が可能な限り見えないようにしておく。このとき、装飾部４をマグネット本体２の左右両端からはみ出さないようにしてもよく、あるいは、若干外側にはみだすようにしてもよい。左右両端からはみださないようにした場合は、複数の装飾用マグネット１を組み合わせて連結する際、それぞれの装飾部４が干渉することなく自由に取り付けることができるというメリットがある。一方、左右両端からはみ出すように構成した場合は、複数の装飾用マグネット１を連結させる場合、その連結部分を隠すことができ、より自然に見せることができるというメリットがある。しかしながら、左右両端からはみ出すように装飾部４を設けた場合、仮に、その装飾部４が非可撓性の固い素材で構成されている場合、それぞれの装飾部４が干渉して、密着させて取り付けることができなくなる可能性がある。そのため、好ましくは、図２や図４に示すように、左右両端の装飾部４の高さ位置をそれぞれ干渉しないような高さ位置に設けておき、これによってマグネット本体２を密着させて取り付けた場合であっても、装飾部４を連続して見せるようにする。
【００２２】
そして、このように構成された装飾用マグネット１を使用する場合、図５に示すように、貼り紙をマグネットボードに取り付けるとともに、その端部近傍に装飾用マグネット１を取り付ける。このとき、同一の構成を有する一本の装飾用マグネット１を貼り紙の上片近傍に横長に取り付けるとともに、他の同じ構成を有する装飾用マグネット１を側辺近傍に縦長に取り付ける。このとき、各装飾用マグネット１をコーナー近傍まで取り付けた場合に、それぞれの装飾部４が干渉しないように、各端部からはみだしている装飾部４の位置を選択して取り付ける。すなわち、第一端部３１からはみだしている装飾部４が高い位置に設けられ、また、第二端部３２からはみ出している装飾部４が低い位置に設けられている場合は、第一端部３１と第二端部３２を隣接させるようにする。すると、それぞれの装飾部４が干渉することなく草花などが茂みあったように見せることができ、また、その下地となる貼り紙の端部近傍を隠すことができるようになる。
【００２３】
また、他の実施の形態として、図６に示すように、取付部３の両端に嵌合部３０を設けて、他の装飾用マグネット１の嵌合部３０と嵌め合わせるようにしてもよい。
【００２４】
ここでは、第一端部３１側の取付部３に凸部３４を設け、これと反対側の第二端部３２側に凹部３３を設け、それぞれを嵌め合わせるようにしている。そして、その凹部３３を有する側の第二端部３２に装飾部４で凹部３３を覆わないように設けるとともに、凸部３４を有する側の第一端部３１の表面に装飾部４を覆うように設けるようにする。そして、その凹部３３の上から凸部３４を嵌め合わせることで、それぞれの装飾用マグネット１を取り付け、その際に、取り付けた後に全体として連続的な葉や花をデザインした装飾部４でマグネット本体２を覆うことができるようにする。
【００２５】
このように上記実施の形態によれば、棒状に構成されたマグネット本体２と、当該マグネット本体２の表面側に設けられ、葉や花を連続的に装飾させた装飾部４とを設けるようにしたので、貼り紙の端部に自然な草花をあしらったデザインを見せることができるようになる。
また、棒状のマグネット本体２の表面に設けられた装飾部４の左右両端が、それぞれ干渉しない高さ位置に設けられているので、その装飾部４が固い素材で構成されている場合であっても、左右両端からはみ出した装飾部４を干渉させることなく、それぞれの装飾用マグネット１を密着して取り付けることができるようになる。
【００２６】
さらには、マグネット本体２の左右両端に、他の装飾用マグネット１と連結させるための嵌合部３０（３３、３４）を設けるようにした場合は、凹凸によって連結させるための端部が明確になり、左右の方向の違いで迷うようなことがなくなる。
【００２７】
加えて、装飾部４を、マグネット本体２からピン３Ｐで着脱可能に構成できるようにしたので、貼り紙が使用されるシーンに応じて装飾部４を選んで取り付けることができるようになる。
【００２８】
なお、本考案は上記実施の形態に限定されることなく、種々の態様で実施することができる。
【００２９】
例えば、上記実施の形態では、装飾部４を固い素材で構成してそれぞれの両端が干渉しないように構成したが、柔らかい素材で構成してそれぞれを干渉させないようにすることもできる。
【００３０】
また、上記実施の形態において、凹凸を有する嵌合部３０を設けた場合、凹部３３が端部にきている状況下においては、その凹部３３が露出してしまうことになるため、この凹部３３を隠すような凸状物を設けて差し込むようにしてもよい。このとき、その凸状物はスポット的なものであってもよく、その表面側に葉や花などを設けて下地を隠すようにしておくとよい。
【００３１】
さらに、上記実施の形態では、ピン３Ｐで装飾部４を取り付けるようにしたが、これ以外の方法で装飾部４を着脱可能に取り付けるようにしてもよい。これ以外の方法としては、面ファスナーやマグネットに磁着する磁性体などを採用することができる。
【符号の説明】
【００３２】
１・・・装飾用マグネット
２・・・マグネット本体
３・・・取付部
３０・・・嵌合部
３１・・・第一端部
３２・・・第二端部
３３・・・凹部
３４・・・凸部
４・・・装飾部
４１・・・第一端部側の装飾部
４２・・・第二端部側の装飾部
【図１】
0003199299.tif 000003
【図２】
0003199299.tif 000004
【図３】
0003199299.tif 000005
【図４】
0003199299.tif 000006
【図５】
0003199299.tif 000007
【図６】
0003199299.tif 000008